(57)【要約】【課題】  端末局装置５ａ〜５ｃとの間で無線通信する手段及び網側装置２との間でＡＴＭ方式によりＩＭＡ回線を用いて通信する手段を備え、端末局装置５ａ〜５ｃからの要求に応じてリソースを割り当てる基地局装置１で、効率的なデータ伝送を確保する。【解決手段】  網側装置２との間の複数の回線の使用状況を記憶する手段、複数の回線のそれぞれが正常状態か異常状態かを検出する手段、複数の回線のそれぞれの状態を記憶する手段、これらの記憶内容に基づいて正常状態で且つ空いているリソースの数を検出し、当該検出結果に基づいてリソースを割り当てる又はリソースの割り当てを拒否する手段を備えた。【選択図】  図１
2007074118.tif 000002
【特許請求の範囲】
【請求項１】
端末局装置との間で無線により信号を通信する無線通信手段及び網側装置との間でＡＴＭ方式によりＩＭＡ回線を用いて信号を通信する網側通信手段を備え、前記端末局装置からの要求に応じて当該端末局装置に対して通信のリソースを割り当てる基地局装置において、
前記網側装置との間の通信に使用される複数の回線の使用状況を記憶する使用状況記憶手段と、
前記複数の回線のそれぞれについて正常な状態であるか或いは異常な状態であるかを検出する検出手段と、
前記検出手段による検出結果に基づいて前記複数の回線のそれぞれの状態を記憶する状態記憶手段と、
前記端末局装置からの要求に応じて、前記使用状況記憶手段による記憶内容及び前記状態記憶手段による記憶内容に基づいて正常な状態であり且つ空いているリソースの数を検出し、当該検出結果に基づいて当該端末局装置に対してリソースを割り当てる又はリソースの割り当てを拒否する割り当て制御手段と、
を備えたことを特徴とする基地局装置。
【発明の詳細な説明】
【技術分野】
【０００１】
本発明は、端末局装置からの要求に応じてリソースを割り当てる基地局装置に関し、特に、回線の伝送路状態に基づいてリソースの割り当てを制御する基地局装置に関する。
【背景技術】
【０００２】
例えば、移動通信システムでは、基地局装置（無線基地局装置）と移動局装置との間で無線により通信することが行われる。
図７には、基地局装置の内部の呼処理制御部により行われる動作の一例として、新規な呼を追加する処理のフローチャートを示してある。なお、本例では、有線通信方式に非同期転送モード（ＡＴＭ：Ａｓｙｎｃｈｒｏｎｏｕｓ  Ｔｒａｎｓｆｅｒ  Ｍｏｄｅ）が用いられており、伝送路物理インタフェースとしてＩＭＡ（Ｉｎｖｅｒｓｅ  Ｍｕｌｔｉｐｌｅｘｉｎｇ  ｆｏｒ  ＡＴＭ）回線が用いられている。そして、基地局装置は、移動局装置からの要求に応じて、伝送路帯域や無線チャネルなどのリソースを割り当てる。
【０００３】
具体的には、まず、移動局装置の側から発信（発呼）処理が行われると、これを受けた基地局装置では、現在において使用中であるリソースの数を算出し（ステップＳ３１）、その後、当該移動局装置から要求されたサービスにおいて確保しなければならないリソースの数を算出する（ステップＳ３２）。そして、これらの値に基づいて、基地局装置では、空きリソース数の検査（チェック）を行って、移動局装置から要求されたリソースの割り当てが可能であるか否かを判定する（ステップＳ３３）。
【０００４】
この判定の結果（ステップＳ３３）、全リソースに関して十分な空きがあり、新規に要求されたリソースの割り当てが可能である場合には、要求されたリソースの確保を行うなどの呼受付処理を行って（ステップＳ３４）、実際に新規な呼の接続制御を行う（ステップＳ３５）。
一方、上記の判定の結果（ステップＳ３３）、リソースが不足していて、新規に要求されたリソースの割り当てが不可能である場合には、要求元の移動局装置に対して、要求された呼を追加できない旨を通知するなどの呼受付拒否処理を行う（ステップＳ３６）。
【０００５】
【特許文献１】特開２００２−２２３２３９号公報
【発明の開示】
【発明が解決しようとする課題】
【０００６】
しかしながら、図７に示されるような呼追加処理では、次のような問題があった。
すなわち、伝送路物理インタフェースに使用するＩＭＡ回線において、複数の伝送路を１つのグループと設定して運用した場合に、その全ての回線ではないが一部の回線で伝送路異常が発生したときには、異常が発生した回線以外でデータ伝送を行うことができる。このため、伝送路インタフェース部分において何らかの異常が発生していたときには、実際には現在において使用することができないリソース数についても、現状で使用することができるものと誤認識して算出してしまう可能性がある。この場合、呼接続処理が完了して実際にデータを流そうとしても、伝送帯域オーバにより通信途中でデータが破棄されてしまう可能性があり、効率的なデータ伝送を行うことができないといった問題があった。
【０００７】
本発明は、このような従来の課題を解決するために為されたもので、端末局装置からの要求に応じてリソースを割り当てるに際して、回線の伝送路状態に基づいてリソースの割り当てを制御することにより、効率的なデータ伝送を確保することができる基地局装置を提供することを目的とする。
【課題を解決するための手段】
【０００８】
上記目的を達成するため、本発明に係る基地局装置では、次のような構成により、端末局装置からの要求に応じて、当該端末局装置に対して通信のリソースを割り当てる。
すなわち、無線通信手段が、前記端末局装置との間で無線により信号を通信する。網側通信手段が、網側装置との間でＡＴＭ方式によりＩＭＡ回線を用いて信号を通信する。
使用状況記憶手段が、前記網側装置との間の通信に使用される複数の回線の使用状況を記憶する。検出手段が、前記複数の回線のそれぞれについて、正常な状態であるか或いは異常な状態であるかを検出する。状態記憶手段が、前記検出手段による検出結果に基づいて、前記複数の回線のそれぞれの状態を記憶する。割り当て制御手段が、前記端末局装置からの要求に応じて、前記使用状況記憶手段による記憶内容及び前記状態記憶手段による記憶内容に基づいて、正常な状態であり且つ空いているリソースの数を検出し、当該検出結果に基づいて、当該端末局装置に対してリソースを割り当てる又はリソースの割り当てを拒否する。
【０００９】
従って、複数の回線の使用状況及び正常であるか異常であるかの状態に基づいて端末局装置に対してリソースを割り当てるか又はリソースの割り当てを拒否するかが制御されるため、例えば、端末局装置からの要求に応じてリソースを割り当てるに際して、回線の伝送路状態に基づいてリソースの割り当てを制御することができ、効率的なデータ伝送を確保することができる。
【００１０】
ここで、基地局装置としては、種々なものが用いられてもよい。
また、端末局装置としては、種々なものが用いられてもよく、例えば、移動局装置や、固定局装置などを用いることができる。
また、網側装置としては、種々なものが用いられてもよく、例えば、無線網制御装置を用いることができる。
また、使用状況記憶手段や状態記憶手段としては、それぞれ、例えば、メモリを用いて構成することができる。また、使用状況記憶手段と状態記憶手段を、共通のメモリにより構成することも可能である。
【００１１】
また、複数の回線の数としては、種々な数が用いられてもよい。
また、複数の回線の使用状況としては、例えば、それぞれの回線について、いずれかの端末局装置或いは他の装置に割り当てられて使用されている状況であるか、或いは、いずれの装置にも割り当てられてなく使用されていない空いている状況であるか、が記憶される。
また、複数の回線のそれぞれの状態としては、例えば、正常な状態であるか、或いは、異常な状態であるか、が記憶される。
また、それぞれの回線が正常な状態であるか或いは異常な状態であるかを検出や記憶する場合に、例えば、更に、異常の種別についても検出や記憶するような態様を用いることもできる。
【００１２】
また、端末局装置からの要求としては、例えば、リソースを割り当てることを要求する呼の信号が用いられ、更に、サービスの種別などの情報が含まれてもよい。例えば、サービスの種別などに応じて割り当てが必要なリソースの数が決定されるような態様を用いることができる。
また、リソースとしては、例えば、伝送路帯域や無線チャネルなどが用いられ、具体例として、基地局装置と端末局装置との間の無線通信で使用されるものや、基地局装置の内部での処理に使用されるものや、基地局装置と網側装置との間の通信で使用されるものが用いられる。
また、リソースの数としては、例えば、同時に使用することが可能な通話チャネルの数や、同時に接続することが可能なユーザ（端末局装置など）の数を用いることができる。なお、このようなチャネルとユーザとが１対１或いは他の割合で対応する場合には、同時使用可能通話チャネル数と同時接続可能ユーザ数はその割合に応じて対応する。
また、リソースの割り当て制御の態様としては、種々な態様が用いられてもよく、例えば、正常な状態であり且つ空いている（つまり、使用されていない）リソースの数が端末局装置から要求されたリソースの数以上である場合にはリソースを割り当てる一方、正常な状態であり且つ空いているリソースの数が端末局装置から要求されたリソースの数未満である場合にはリソースの割り当てを拒否する態様を用いることができる。
【発明の効果】
【００１３】
以上説明したように、本発明に係る基地局装置によると、複数の回線の使用状況（使用されているか使用されていないか）及び当該複数の回線のそれぞれの状態（正常であるか異常であるか）を記憶し、当該記憶内容に基づいて、端末局装置からの要求に応じて、当該端末局装置に対してリソースを割り当てるか又はリソースの割り当てを拒否するかを制御するようにしたため、例えば、端末局装置からの要求に応じてリソースを割り当てるに際して、回線の伝送路状態に基づいてリソースの割り当てを制御することができ、効率的なデータ伝送を確保することができる。
【発明を実施するための最良の形態】
【００１４】
本発明に係る実施例を図面を参照して説明する。
図１には、本発明の一実施例に係る移動通信システムの構成例を示してある。
本例の移動通信システムには、基地局装置（無線基地局装置）１と、網側装置である無線網制御装置２と、交換機３と、網４と、端末局装置である複数の移動局装置５ａ、５ｂ、５ｃが備えられている。なお、各装置の数としては、種々な数が用いられてもよい。
本例の移動通信システムでは、移動局装置５ａ、５ｂ、５ｃから無線により送信される信号が基地局装置１により受信され、当該信号が無線網制御装置２及び交換機３を介して網４へ伝送されて、伝送先となる装置へ伝送される。また、伝送元となる装置から網４へ送信された信号が交換機３及び無線網制御装置２を介して基地局装置１へ伝送され、当該信号が基地局装置１から伝送先となる移動局装置５ａ、５ｂ、５ｃに対して無線により送信される。
【００１５】
本例では、基地局装置１と無線網制御装置２との間の通信で、非同期転送モード（ＡＴＭ）が用いられており、伝送路物理インタフェースとしてＩＭＡ回線が用いられている。ＩＭＡ回線は複数の回線を束ねて１本のグループインタフェースとして使用するものであり、例えば、１つの移動局装置から基地局装置１へ伝送される信号を、グループインタフェースを構成する複数の回線に分配して、無線網制御装置２へ伝送するようなことが可能である。
基地局装置１は、移動局装置５ａ、５ｂ、５ｃからの要求に応じて、要求元の移動局装置５ａ、５ｂ、５ｃに対して、伝送路帯域や無線チャネルなどのリソースを割り当てる。
【００１６】
図２には、基地局装置１の構成例を示してある。
本例の基地局装置１は、伝送路インタフェース部１１と、呼処理制御部１２と、保守監視制御部１３と、伝送路信号切替機能部１４と、無線送受信部１５と、無線増幅部１６と、記憶部１７と、外部インタフェース制御部１８を備えている。
伝送路インタフェース部１１は、無線網制御装置２との間の接続制御を行う。
呼処理制御部１２は、呼制御を行う。
保守監視制御部１３は、保守監視制御を行う。
伝送路信号切替機能部１４は、装置内の信号を分離や多重する。
【００１７】
無線送受信部１５は、無線インタフェースを介して移動局装置５ａ、５ｂ、５ｃとの間の接続制御を行う。
無線増幅部１６は、アンテナと接続されており、移動局装置５ａ、５ｂ、５ｃとの間で通信される信号を増幅する。
記憶部１７は、例えばメモリから構成されており、データを保持する。
外部インタフェース制御部１８は、保守用端末装置である例えばパーソナルコンピュータ（ＰＣ）との間の接続制御を行う。
【００１８】
また、伝送路インタフェース部１１は、ＡＴＭに対する逆マルチプレクシング機能（ＩＭＡの機能）を有している。
保守監視制御部１３は、複数回線ある各伝送路回線の状態を監視する機能を有しており、例えば、正常な状態であるか或いは各種規定された異常な状態であるかを検出する。
呼処理制御部１２は、保守監視制御部１３により検出される伝送路回線状態に応じて、新規な呼に対する受付を許可する或いは制限する呼受付制御機能を有している。
【００１９】
ここで、本例の保守監視制御部１３は、伝送路回線（ＩＭＡ回線）の状態をテーブルにより管理している。
なお、基地局装置１では、保守監視制御を行うための動作として、例えば、ＩＭＡ回線の動作モードの設定及び動作開始制御を当該基地局装置１の立ち上げ処理時に実行して、図３に示されるようなテーブルに展開して、監視処理を行う方式、或いは、当該基地局装置１の立ち上げ処理時に図２に示されるような記憶部（この場合、不揮発メモリ）１７に予め記憶されているＩＭＡ回線の動作モードの設定値を図３に示されるようなテーブルに展開して、動作開始制御を行い、監視処理を行う方式のいずれかの動作を用いることができる。
【００２０】
図３には、このようなテーブル（伝送路状態管理テーブル）の一例を示してある。
本例の伝送路状態管理テーブルでは、使用回線数の値と、複数であるＮ個の回線のそれぞれに関する情報が格納されている。
各回線１〜Ｎに関する情報は同様であり、回線１を例とすると、物理回線番号の値と、仮想パス識別子（ＶＰＩ：Ｖｉｒｔｕａｌ  Ｐａｔｈ  Ｉｄｅｎｔｉｆｉｅｒ）の値と、仮想チャネル識別子（ＶＣＩ：Ｖｉｒｔｕａｌ  Ｃｈａｎｎｅｌ  Ｉｄｅｎｔｉｆｉｅｒ）の値と、複数であるＭ個の回線状態（回線状態［０］〜回線状態［Ｍ−１］）の値と、仮想パス（ＶＰ）の帯域の値と、仮想チャネル（ＶＣ）の帯域の値と、現在において使用することが可能な仮想パス（ＶＰ）の帯域の値が格納されている。
【００２１】
なお、一般に、仮想パスはエンドポイント同士のパスであり、仮想チャネルは呼設定処理において確立されるコネクションであり、仮想パスの中に複数の仮想チャネルが設定される。
また、ＩＭＡ回線の伝送路回線状態としては、正常な状態と、異常な状態がある。異常な状態については、異常検出時に検出する伝送路警報の種類として、例えば、ＡＩＳ、ＲＡＩ、ＬＯＳ、ＬＯＦ、ＣＲＣ、ＬＣＤ、ＶＰ−ＡＩＳ、ＶＰ−ＲＤＩがあり、これらを検出すると例えばＩＴＵ−Ｔ  Ｇ．４３１／ＩＴＵ−Ｔ  Ｇ．４３２．１に規定された動作を行う。
【００２２】
ここで、ＡＩＳ（Ａｌａｒｍ  Ｉｎｄｉｃａｔｉｏｎ  Ｓｉｇｎａｌ）は警報表示信号を表し、ＲＡＩ（Ｒｅｍｏｔｅ  Ｄｅｆｅｃｔ  Ｉｎｄｉｃａｔｉｏｎ）は遠隔故障表示を表し、ＬＯＳ（Ｌｏｓｓ  Ｏｆ  Ｓｉｇｎａｌ）は信号損失を表し、ＬＯＦ（Ｌｏｓｓ  Ｏｆ  Ｆｒａｍｅ）はフレーム同期損失を表し、ＣＲＣ（Ｃｙｃｌｉｃ  Ｒｅｄｕｎｄａｎｃｙ  Ｃｈｅｃｋ）は品質劣化を表し、ＬＣＤ（Ｌｏｓｓ  Ｏｆ  Ｃｅｌｌ  Ｄｅｌｉｎｅａｔｉｏｎ）はセル同期外れを表し、ＶＰ−ＡＩＳ（Ｖｉｒｔｕａｌ  Ｐａｔｈ−Ａｌａｒｍ  Ｉｎｄｉｃａｔｉｏｎ  Ｓｉｇｎａｌ）はＶＰ故障（ＶＰコネクションで生じた故障）を下流に通知する信号（セル）を表し、ＶＰ−ＲＤＩ（Ｖｉｒｔｕａｌ  Ｐａｔｈ−Ｒｅｍｏｔｅ  Ｄｅｆｅｃｔ  Ｉｎｄｉｃａｔｉｏｎ）はＶＰ故障（ＶＰコネクションで生じた故障）を上流に通知する信号（セル）を表す。
【００２３】
また、本例では、複数の伝送路（回線）を１つのグループとして運用する際に、これら複数の伝送路のうちの１つの伝送路に異常が発生した場合には、当該グループの全体ではなく、異常が発生した伝送路のみが使用不可であると判定し、当該異常が発生した伝送路により送出することが可能なリソース数の分のみを使用不可として扱う。
また、本例のように、伝送路状態管理テーブルを参照してリソースの割り当てを行う場合には、例えば、ベースバンド処理部の残りリソース数と回線の残りリソース数との２段階で割り当てが可能であるか否かを判定し、これら両方の割り当てが可能であるときにリソースを割り当てる。
【００２４】
また、リソース数としては、例えば、伝送路帯域や無線チャネルなどのリソースについて、同時使用可能通話チャネル数や、同時接続可能ユーザ数を用いる。基地局装置１において、残っている空きのリソース数は、全てのリソース数から使用中のリソース数を減じて更に異常が発生して使用不可能となっているリソース数を減じたものとなる。また、移動局装置５ａ、５ｂ、５ｃから要求される新規な呼のリソース数は、例えば、要求される通信のサービスの種別などに応じて算出される。一般に、サービス種別毎に、必要となるリソースの数が異なる。
【００２５】
本例の基地局装置１により行われる動作の例を示す。
図４には、本例の基地局装置１の伝送路インタフェース部１１により伝送路警報を監視する処理のフローチャートを示してある。
本例では、伝送路インタフェース部１１の回線状態について、常に（例えば、所定の周期で）、伝送路が正常であるか或いは異常であるかを検出するように監視を行う。なお、伝送路の状態（回線の状態）は、例えば、各回線毎に監視される。
伝送路が正常であることを検出したとき又は伝送路が異常であることを示す伝送路警報を検出したときには、まず、伝送路が正常であること又は検出された伝送路警報の種別を読み出す（ステップＳ１）。次に、伝送路が正常であること又は検出された伝送路警報の種別の内容の検査結果に基づいて、今回の回線状態が、前回において検査した際の回線状態と比較して変化しているか否かを判定する（ステップＳ２）。
【００２６】
この判定の結果、今回の回線状態が前回の回線状態から変化していない場合にはそのまま今回の伝送路警報監視処理を終了する。
一方、今回の回線状態が前回の回線状態から変化している場合には、続いて、伝送路警報の有無（伝送路異常の有無）を検査する（ステップＳ３）。
この検査の結果、伝送路警報がある場合には、例えばＬＥＤ（Ｌｉｇｈｔ  Ｅｍｉｔｔｉｎｇ  Ｄｉｏｄｅ）を点灯させて伝送路異常が発生したことを表示するなどの所定の警報検出時処理を行い（ステップＳ４）、また、伝送路警報が無い場合には、正常な状態を検出したため、例えば点灯しているＬＥＤを消灯させて伝送路異常から復旧したことを表示するなどの所定の警報解除時処理を行う（ステップＳ５）。
その後、回線状態が変化したことを通知するための信号を保守監視制御部１３へ送出する（ステップＳ６）。この通知には、例えば、正常となったこと、又は、異常が発生したこととその伝送路警報の内容が含まれる。
なお、本例では、上記したステップＳ２の処理を行う場合を示したが、他の例として、上記したステップＳ２の処理を省略して行わない態様を用いることもでき、この場合、上記したステップＳ６の処理では、例えば、回線状態が変化したときにのみ、それを通知するための信号を送出する。
【００２７】
図５には、本例の基地局装置１の保守監視制御部１３により回線状態の変化時に行われる処理のフローチャートを示してある。
保守監視制御部１３は、伝送路インタフェース部１１から回線状態が変化したことの通知を受信すると、その内容（伝送路警報の状態）を伝送路状態管理テーブル中の各回線に対応させて設定する（ステップＳ１１）。そして、回線状態の変化があったことを上位装置などの他の装置へ通知するなどの処理を必要に応じて行う（ステップＳ１２）。
ここで、本例では、以前に報告した回線の状態から変化があった場合に上位装置などへ通知することとして、異常状態中に他の種別の異常が発生したときには全て上位装置などへ通知する構成としたが、他の構成例として、異常状態中には他の種別の異常が発生しても異常という状態は変わらないため特に通知しない構成を用いることも可能である。このような通知の条件は、上位装置などとの取り決めによる。
【００２８】
図６には、本例の基地局装置１の呼処理制御部１２により行われる動作の一例として、新規な呼を追加する処理のフローチャートを示してある。
図４や図５に示されるような処理が定常的に行われている状況において、移動局装置５ａ、５ｂ、５ｃの側から発信（発呼）処理が行われると、これを受けた基地局装置１では、まず、保守監視制御部１３で管理されている伝送路状態管理テーブルに基づいて各回線の状態を検査して、伝送路警報の有無を検査する（ステップＳ２１）。
この検査の結果、使用するＩＭＡ回線の回線グループにおいて１つ以上の回線に伝送路警報（伝送路異常）がある場合には、現在において伝送路異常のために使用することができないリソースの数を算出する（ステップＳ２２）。一方、使用するＩＭＡ回線の回線グループにおいて伝送路警報（伝送路異常）が全くなく全ての回線が正常である場合には、使用不可能なリソースの数はゼロ（無し）となる。
【００２９】
次に、現在において使用中であるリソースの数を算出し（ステップＳ２３）、その後、移動局装置５ａ、５ｂ、５ｃから要求されたサービスにおいて確保しなければならないリソースの数を算出する（ステップＳ２４）。そして、これらの値及び伝送路異常により使用不可能となったリソースがある場合にはその数の値に基づいて、基地局装置１では、空きリソース数の検査（チェック）を行って、移動局装置５ａ、５ｂ、５ｃから要求されたリソースの割り当てが可能であるか否かを判定する（ステップＳ２５）。
【００３０】
この判定の結果（ステップＳ２５）、全リソースに関して十分な空きがあり、新規に要求されたリソースの割り当てが可能である場合には、要求されたリソースの確保を行うなどの呼受付処理を行って（ステップＳ２６）、実際に新規な呼の接続制御を行う（ステップＳ２７）。
一方、上記の判定の結果（ステップＳ２５）、リソースが不足していて、新規に要求されたリソースの割り当てが不可能である場合には、要求元の移動局装置５ａ、５ｂ、５ｃに対して、要求された呼を追加できない旨を通知するなどの呼受付拒否処理を行う（ステップＳ２８）。
【００３１】
なお、現在において使用することが可能な空きのリソースの数は、全てのリソースの数から、使用中のリソースの数と伝送路異常が発生して使用不可能なリソースの数を加えたものを減じた結果となる。
また、呼に対して回線が割り当てられた後に、その回線に異常が発生した場合には、本例では、ＡＴＭ回線を使用していることから、現状において正常動作が可能なＩＭＡ回線の帯域以内であればデータ破棄は発生しないが、本来的に動作可能な帯域を超えるとデータ破棄が発生する。
【００３２】
以上のように、本例の移動通信システムの基地局装置１では、ＩＭＡ回線を監視して、伝送路インタフェース部１１の各回線に発生する伝送路異常を検出し、動的に変化する各回線の状態に応じて、新規な呼の受け付けを許可する或いは制限（拒否）する呼受付制御を行う。
従って、基地局装置１の主導により、伝送データに関してある程度のフロー制御を実現することができるため、各回線の伝送路状態に応じて、最もパフォーマンス性の高いデータ伝送を行うことが可能となる。これにより、例えば、再送処理が減り、トラフィックが高負荷になることを防ぐことができる。また、伝送路異常時におけるＩＭＡデバイスによる縮退運用時においても、伝送帯域オーバなどの要因による通信中の無駄なセル破棄を防ぐことができ、必要以上のセル廃棄を阻止することにより、それぞれのときの状況下における最も効率的なデータ伝送（データ転送）を常に確保することができる。
【００３３】
このように、本例の基地局装置１では、例えば従来においてはリソース数の管理に反映されていなかった回線の伝送路状態についても考慮してリソース数を管理することにより、回線に異常が発生した場合においても、現在において当該基地局装置１で使用することが可能なリソースの数を正確に算出することができ、これにより、時間と共に変動するそれぞれの状況において最適な伝送効率を常に実現することが可能となる。
【００３４】
なお、本例の基地局装置１では、無線送受信部１５や無線増幅部１６やアンテナにより移動局装置５ａ、５ｂ、５ｃとの間で無線により通信する機能により無線通信手段が構成されており、伝送路インタフェース部１１により無線網制御装置２との間でＡＴＭ方式によりＩＭＡ回線を用いて通信する機能により網側通信手段が構成されており、保守監視制御部１３が図３に示される伝送路状態管理テーブルを用いて各回線の使用状況を記憶する機能により使用状況記憶手段が構成されており、伝送路インタフェース部１１などにより各回線の正常／異常の状態を検出する機能により検出手段が構成されており、保守監視制御部１３が図３に示される伝送路状態管理テーブルを用いて各回線の正常／異常の状態を記憶する機能により状態記憶手段が構成されており、各回線の使用状況や正常／異常の状態に基づいて呼制御処理部１２が移動局装置５ａ、５ｂ、５ｃに対するリソースの割り当てを制御する機能により割り当て制御手段が構成されている。
【００３５】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００３６】
【図１】本発明の一実施例に係る移動通信システムの構成例を示す図である。
【図２】本発明の一実施例に係る基地局装置の構成例を示す図である。
【図３】本発明の一実施例に係る伝送路状態管理テーブルの一例を示す図である。
【図４】本発明の一実施例に係る伝送路警報監視処理の手順の一例を示す図である。
【図５】本発明の一実施例に係る回線状態変化時処理の手順の一例を示す図である。
【図６】本発明の一実施例に係る呼追加処理の手順の一例を示す図である。
【図７】呼追加処理の手順の一例を示す図である。
【符号の説明】
【００３７】
１・・基地局装置、  ２・・無線網制御装置、  ３・・交換機、  ４・・網、  ５ａ〜５ｃ・・移動局装置、  １１・・伝送路インタフェース部、  １２・・呼処理制御部、  １３・・保守監視制御部、  １４・・伝送路信号切替機能部、  １５・・無線送受信部、  １６・・無線増幅部、  １７・・記憶部、  １８・・外部インタフェース制御部、
【図１】
2007074118.tif 000003
【図２】
2007074118.tif 000004
【図３】
2007074118.tif 000005
【図４】
2007074118.tif 000006
【図５】
2007074118.tif 000007
【図６】
2007074118.tif 000008
【図７】
2007074118.tif 000009